(57)【特許請求の範囲】
【請求項１】
噴霧用ノズル（３４，３５）が元側ブーム（１２）及び先側ブーム（１４）に沿って装備され、前記噴霧用ノズル（３４，３５）から散布液が噴射されるブーム装置（１０）において、
前記元側ブーム（１２）及び先側ブーム（１４）に沿って延びる直線状管（３０，３２）が、横断面方向に部分的に前記元側ブーム（１２）及び先側ブーム（１４）に埋め込まれつつ、前記元側ブーム（１２）及び先側ブーム（１４）に着脱自在に装着され、
前記噴霧用ノズル（３４，３５）は前記直線状管（３０，３２）に取り付けられており、
前記噴霧用ノズル（３４，３５）は、それぞれ前記元側ブーム（１２）及び先側ブーム（１４）の下面側にほぼ等間隔で配列され、
前記噴霧用ノズル（３４，３５）は、それらの位置に対応して穿設されている前記直線状管（３０，３２）の連通孔に連通するように、かつ前記直線状管（３０，３２）を前記元側ブーム（１２）及び先側ブーム（１４）との間で挟むように、前記元側ブーム（１２）及び先側ブーム（１４）の下面側に当てられ、
前記噴霧用ノズル（３４，３５）は、前記元側ブーム（１２）及び先側ブーム（１４）に対し、ボルト締めにより取り付けられており、
これによって、前記元側ブーム（１２）及び先側ブーム（１４）に対する、前記直線状管（３０，３２）の着脱自在な装着がなされていることを特徴とするブーム装置。
【発明の詳細な説明】
【０００１】
【発明の属する技術分野】
この発明は、噴霧用ノズルが元側ブーム及び先側ブームに沿って装備され、噴霧用ノズルから散布液が噴射されるブーム装置に関する。
【０００２】
【従来の技術】
ブームスプレーヤのエアサポート付きブーム装置では、元側ブームに対して先側ブームを使用時の拡開位置及び格納時の縮閉位置へ切替自在にするもの（以下、「折り畳み式エアサポート付きブーム装置」と言う。）が既知になっている。
【０００３】
一方、ブームスプレーヤのエアサポート付きでない単なるブーム装置では、先側ブームを元側ブームに沿って摺動自在にし、元側ブームから先側ブームを突出させたり、引き込んだりするもの（以下、「摺動式ブーム装置」と言う。）が既知になっている（例：実公昭６２−２９０９９号公報）。
【０００４】
【発明が解決しようとする課題】
しかしながら、かかる従来のブーム装置においては、散布液による腐蝕等を防止するため、適宜保守する必要がある。
【０００５】
また、折り畳み式エアサポート付きブーム装置では、先側ブームの拡開位置と縮閉位置とを切替えるために、作業者は、一々走行車から降りて、先側ブームを操作する必要がある。先側ブームの拡開位置及び縮閉位置の切替をモータや油圧シリンダ等で自動化する場合は、構造が非常に複雑になる。また、全体のブーム長さは、先側ブームを拡開したときの長さに固定され、適宜調整することは、折り畳み式エアサポート付きブーム装置では無理である。
【０００６】
摺動式ブーム装置では、長さの調整が適宜可能となるとともに、その自動化のための構造が簡単となるが、先側ブーム側のエア吐出口へ加圧エアを供給するためにホースが使用され、そのホースが、摺動機構等に巻き込まれたり、垂れ下がって機器と干渉したりする等、種々の支障原因になる。
【０００７】
この発明の目的は、ブーム装置において、散布液による腐蝕等を防止するための保守性を向上させることにある。
【０００８】
【課題を解決するための手段】
この目的を達成するため、この発明に係るブーム装置は、噴霧用ノズル（３４，３５）が元側ブーム（１２）及び先側ブーム（１４）に沿って装備され、噴霧用ノズル（３４，３５）から散布液が噴射されるブーム装置（１０）において、元側ブーム（１２）及び先側ブーム（１４）に沿って延びる直線状管（３０，３２）が、横断面方向に部分的に元側ブーム（１２）及び先側ブーム（１４）に埋め込まれつつ、元側ブーム（１２）及び先側ブーム（１４）に着脱自在に装着され、噴霧用ノズル（３４，３５）は直線状管（３０，３２）に取り付けられていることを特徴とする。
【０００９】
これによれば、直線状管（３０，３２）が、横断面を部分的に元側ブーム（１２）及び先側ブーム（１４）に埋め込まれて、元側ブーム（１２）及び先側ブーム（１４）に装着されるので、元側ブーム（１２）及び先側ブーム（１４）と直線状管（３０，３２）とが一体化して全体の配置スペースを減少することができる。また、直線状管（３０，３２）は、散布液に因る腐蝕等により、適宜保守する必要があるが、保守に際しては、元側ブーム（１２）及び先側ブーム（１４）から適宜分離することができるので、直線状管（３０，３２）の保守性を高めることができる。
【００１０】
この発明の好ましい態様においては、噴霧用ノズル（３４，３５）は、それぞれ元側ブーム（１２）及び先側ブーム（１４）の下面側にほぼ等間隔で配列され、噴霧用ノズル（３４，３５）の位置に対応して穿設されている直線状管（３０，３２）の連通孔に連通するように、直線状管（３０，３２）を元側ブーム（１２）及び先側ブーム（１４）との間に挟んで、元側ブーム（１２）及び先側ブーム（１４）の下面側に当てられ、元側ブーム（１２）へのボルト締めにより元側ブーム（１２）及び先側ブーム（１４）に直線状管（３０，３２）を着脱自在に装着している。
【００１１】
この発明の好ましい態様に係るエアサポート付きブーム装置（１０）では、噴霧用ノズル（３４，３５）及びエア吐出口（４８）が元側ブーム（１２）及び先側ブーム（１４）に沿って装備され、噴霧用ノズル（３４，３５）からの散布液と共にエア吐出口（４８）からのエアが噴射される。そして、先側ブーム（１４）は元側ブーム（１２）にその延び方向へ移動自在に支持され、加圧エア用剛性管（４６）は、元側ブーム（１２）に沿って配設され、かつ先側ブーム（１４）と入れ子関係になっている。加圧エアは、加圧エア用剛性管（４６）を介して先側ブーム（１４）内へ供給され、さらに、先側ブーム（１４）を経て先側ブーム（１４）側のエア吐出口（４８）へ供給されるようになっている。
【００１２】
本明細書において、エアサポート付きブーム装置（１０）の「エアサポート」とは、噴霧用ノズル（３４，３５）から噴霧と共に、エア吐出口（４８）からエアを噴射するものすべてを包含し、噴霧のドリフトを防止する目的に限定されず、例えば、作物の葉を加圧エアにより揺らせて、噴霧を葉の裏にも的確に付着させる等の他の目的で使用されるものであってよい。
【００１３】
この発明の好ましい態様に係る他のエアサポート付きブーム装置（１０）では、先側ブーム（１４）及び加圧エア用剛性管（４６）の入れ子関係は、先側ブーム（１４）及び加圧エア用剛性管（４６）がそれぞれ外及び内の関係である場合だけでなく、それぞれ内及び外の関係である場合も含む。また、先側ブーム（１４）側のエア吐出口（４８）は、先側ブーム（１４）に一体に形成されても、また、先側ブーム（１４）に沿って取り付けられた通路管に設けられてもよい。
【００１４】
先側ブーム（１４）は、元側ブーム（１２）に沿って配設されている加圧エア用剛性管（４６）とは入れ子式の関係になっているとともに、元側ブーム（１２）にその延び方向へ移動自在に支持されているので、先側ブーム（１４）は、加圧エア用剛性管（４６）との入れ子関係を保持しつつ、元側ブーム（１２）の延び方向へ元側ブーム（１２）に対して相対移動し、これにより、エアサポート付きブーム装置（１０）全体の長さは変化する。また、先側ブーム（１４）及び加圧エア用剛性管（４６）は、エアサポート付きブーム装置（１０）の長さに関係なく、入れ子関係を保持しているので、加圧エアが、加圧エア用剛性管（４６）を介して先側ブーム（１４）内へ供給され、先側ブーム（１４）側のエア吐出口（４８）から噴射される。このエアサポート付きブーム装置（１０）では、先側ブーム（１４）側のエア吐出口（４８）への加圧エアの供給は、元側ブーム（１２）に沿って配設される加圧エア用剛性管（４６）、及びその加圧エア用剛性管（４６）と入れ子関係の先側ブーム（１４）を介して行われるので、折り畳み式に比して自動化及び長さ調整が簡単である摺動式ブーム装置をエアサポート付きブーム装置（１０）として使用できるとともに、摺動式ブーム装置において先側ブーム（１４）側のエア吐出口（４８）への加圧エアの供給のためにホースを使用しないので、そのようなホースの採用に因る種々の問題を克服できる。
【００１５】
この発明の好ましい態様に係るさらに他のエアサポート付きブーム装置（１０）では、加圧エア用剛性管（４６）から先側ブーム（１４）への加圧エアの供給は先側ブーム（１４）内へ挿入されている加圧エア用剛性管（４６）の先端開口（６０）を介して行われる。先端開口（６０）は、元側ブーム（１２）からの先側ブーム（１４）の引き込み時では、先側ブーム（１４）の先端部の閉塞部材（５８）により閉じられる。
【００１６】
先側ブーム（１４）が、元側ブーム（１２）側への引き込み位置にあるときでは、先側ブーム（１４）の閉塞部材（５８）が加圧エア用剛性管（４６）の先端開口（６０）を閉鎖し、加圧エア用剛性管（４６）から先側ブーム（１４）内への加圧エアの供給は断たれる。一方、先側ブーム（１４）が元側ブーム（１２）の先方へ移動開始するのに伴い、先側ブーム（１４）の閉塞部材（５８）は、加圧エア用剛性管（４６）の先端開口（６０）から遠ざかり、先端開口（６０）の閉塞を解除する。こうして、加圧エアが、加圧エア用剛性管（４６）の先端開口（６０）を介して先側ブーム（１４）内へ流入し、先側ブーム（１４）側のエア吐出口（４８）へ供給される。このエアサポート付きブーム装置（１０）では、先側ブーム（１４）の引き込み時では、先側ブーム（１４）内への加圧エアの供給が自動的に中止されるので、作業者が、先側ブーム（１４）への加圧エアの供給の実施及び停止のために、一々コック等を操作する手間を省略できる。
【００１７】
この発明の好ましい態様に係る別のエアサポート付きブーム装置（１０）によれば、加圧エア用剛性管（４６）から先側ブーム（１４）への加圧エアの供給は先側ブーム（１４）内へ挿入されている加圧エア用剛性管（４６）の先端開口（６０）を介して行われる。エア吐出口（４８）は先側ブーム（１４）に一体に設けられ、シール部材（５４）は、加圧エア用剛性管（４６）の先端部に取り付けられ、加圧エア用剛性管（４６）の外周と先側ブーム（１４）の内周との間に介在して、先側ブーム（１４）内を先側部分と元側部分とを相互に非連通にしている。
【００１８】
シール部材（５４）は、先側ブーム（１４）と加圧エア用剛性管（４６）との相対移動を許容しつつ、先側ブーム（１４）内を加圧エア用剛性管（４６）の先端部より先側の部分と元側の部分とを相互に仕切って、非連通状態に維持する。加圧エア用剛性管（４６）の先端開口（６０）からのエア吐出口（４８）は、シール部材（５４）による先側ブーム（１４）内の仕切りのために、加圧エア用剛性管（４６）の先端部より先側の先側ブーム（１４）内の部分へのみ供給され、元側の先側ブーム（１４）内の部分へは供給されない。こうして、加圧エア用剛性管（４６）の先端部より先側の先側ブーム（１４）内の部分へ連通しているエア吐出口（４８）のみからエア吐出口（４８）の噴射が行われる。このエアサポート付きブーム装置（１０）では、エアサポート付きブーム装置（１０）の任意の長さにおいて、加圧エア用剛性管（４６）の先端部より先側の先側ブーム（１４）内の部分へ連通しているエア吐出口（４８）のみから加圧エアを噴射するようにして、エアサポート付きブーム装置（１０）の延び方向へ元側ブーム（１２）及び先側ブーム（１４）の重複範囲にある先側ブーム（１４）側のエア吐出口（４８）からの加圧エアの噴射を自動的に中止させることができる。
【００１９】
この発明の好ましい態様に係るさらに別のエアサポート付きブーム装置（１０）によれば、エア吐出口（４８）は、縦断面が凸状で横断面が偏平状の凸状壁部（６４）の先端部にドリル孔（４８）として穿設されている。
【００２０】
凸状壁部（６４）の先端部にドリル（６６）の円形横断面の先端部を押圧しつつ、ドリル（６６）が凸状壁部（６４）を貫通しない程度で押込みを止めて、凸状壁部（６４）の先端部にドリル孔（４８）を形成すると、このドリル孔（４８）、すなわちエア吐出口（４８）は、ドリル（６６）の円形横断面にもかかわらず、長孔状に形成される。エア吐出口（４８）からの加圧エアの噴射は、放射状よりも帯状に噴射された方が、散布液の噴霧のドリフト防止の効果が高い。このエアサポート付きブーム装置（１０）では、ドリフト防止に都合の良い長孔状エア吐出口（４８）を簡単に製作することができる。
【００２１】
【発明の実施の形態】
以下、図面を参照してこの発明を説明する。図８はブームスプレーヤ７２を装着されている農業用トラクタ７０の全体を概略的に示す平面図である。ブームスプレーヤ７２は、農業用トラクタ７０の後部に三点リンクを介して着脱自在に装着され、加圧エア生成用の送風機７４を装備する。センタブーム管７６は、高さを固定又は調整自在にブームスプレーヤ本体７８の後部に配設され、左右水平方向へ延びている。エアサポート付きブーム装置１０は、センタブーム管７６より側方へ水平に突出するように、基端側をセンタブーム管７６の一端側に結合される。送風機７４からの加圧空気は、蛇腹管８０を介してセンタブーム管７６内へ導入され、センタブーム管７６内を経てエアサポート付きブーム装置１０の蛇腹管４２，４４内へ供給される。
【００２２】
図１は縮小時のエアサポート付きブーム装置１０の平面図、図２は伸長時のエアサポート付きブーム装置１０の正面図である。図１及び図２において、図面の横幅寸法の縮小のため、エアサポート付きブーム装置１０は、その中間点（分断線の位置）で分断され、左右の部分を段違いで示しており、実際は直線状に延びている。エアサポート付きブーム装置１０は、エアサポート付きブーム装置１０の延び方向へ移動自在にエアサポート付きブーム装置１０の幅方向へ相互に部分的に嵌合している元ブームパイプ１２及び先ブームパイプ１４を装備している。元ブームパイプ１２は、ブームスプレーヤの後部のフレームに固定又は高さ方向へ移動自在に支持されている。基端側案内ローラ１６は、元ブームパイプ１２の内周面を転動自在になるように、先ブームパイプ１４の基端部において上下に回転自在に取り付けられている。先端側案内ローラ１８は、先ブームパイプ１４を上下から間に挟むように、元ブームパイプ１２の先端部の上下に回転自在に取り付けられ、先ブームパイプ１４のレール部２０（図４）の上下の面を転動自在になっている。先ブームパイプ１４は、基端側案内ローラ１６及び先端側案内ローラ１８の転動により、元ブームパイプ１２の延び方向へ元ブームパイプ１２に対して相対移動する。基端側ワイヤローラ２２及び先端側ワイヤローラ２４は、元ブームパイプ１２の基端部及び先端部にそれぞれ取り付けられ、ワイヤ２６を掛けられる。正逆転自在のモータ２８は、元ブームパイプ１２に取り付けられて、基端側ワイヤローラ２２を回転駆動する。ワイヤ２６の所定個所は先ブームパイプ１４の長手方向所定部位に固定されており、モータ２８による基端側ワイヤローラ２２の回転により、ワイヤ２６が基端側ワイヤローラ２２及び先端側ワイヤローラ２４の周りを周回し、先ブームパイプ１４は、ワイヤ２６により連行されて、元ブームパイプ１２の延び方向へ元ブームパイプ１２に対して移動する。
【００２３】
図３及び図４はそれぞれエアサポート付きブーム装置１０の縮小時におけるエアサポート付きブーム装置１０の基端部及び先端部の横断面図である。直線状散布液管３０，３２は、それぞれ元ブームパイプ１２及び先ブームパイプ１４に沿って延び、元ブームパイプ１２及び先ブームパイプ１４の下面の横断面ほぼ半円形の溝内へほぼ上半部を嵌入されている。噴霧用ノズル３４，３５は、それぞれ元ブームパイプ１２及び先ブームパイプ１４の下面側にほぼ等間隔で配列され、噴霧用ノズル３４，３５の位置に対応して穿設されている直線状散布液管３０，３２の連通孔に連通するように、直線状散布液管３０，３２を元ブームパイプ１２及び先ブームパイプ１４との間に挟んで、元ブームパイプ１２及び先ブームパイプ１４の下面側に当てられ、元ブームパイプ１２へのボルト締めにより直線状散布液管３０，３２を元ブームパイプ１２及び先ブームパイプ１４に着脱自在に装着する。噴霧用ノズル３５は、被操作レバー３７により開閉操作される自動開閉コック３６を備えている。元ブームパイプ１２の先端からの先ブームパイプ１４の繰り出し及び元ブームパイプ１２への先ブームパイプ１４の繰り入れに伴い、被操作レバー３７が元ブームパイプ１２の先端部の操作部材としての所定突起との当接により回転操作され、自動開閉コック３６の開閉を切替えられる。こうして、先ブームパイプ１４の噴霧用ノズル３５では、元ブームパイプ１２から繰り出されている先ブームパイプ１４の部分にある噴霧用ノズル３５のみが、自動開閉コック３６を開かれて、散布液を噴射するとともに、元ブームパイプ１２の延び方向へ元ブームパイプ１２と重複する先ブームパイプ１４の部分にある噴霧用ノズル３５は、自動開閉コック３６を閉じられて、散布液の噴射を中止するようになっている。コイルチューブ３８（図２）は、元ブームパイプ１２の基端部の上面に突設されているステー４０に基端側を固定され、ポンプ（図示せず）からの散布液は、直線状散布液管３０及び直線状散布液管３２へ並列で供給され、直線状散布液管３２へはコイルチューブ３８を経由して供給される。
【００２４】
剛性丸管４６は、基端部を元ブームパイプ１２の基端部の側壁に固定され、先端側は先ブームパイプ１４内へ嵌入して、元ブームパイプ１２の延び方向へ摺動自在に支持されている。加圧エア用蛇腹管４２，４４は、先端側を元ブームパイプ１２及び剛性丸管４６の基端部へ接続され、センタブーム管７６を経てブームスプレーヤ本体７８の送風機７４より送られて来る加圧エアを元ブームパイプ１２及び剛性丸管４６へ供給する。エア吐出口４８は、後述の図７のように、元ブームパイプ１２の延び方向へ長い長孔状に形成され、各噴霧用ノズル３４，３５をエアサポート付きブーム装置１０の幅方向両側から挟むように、元ブームパイプ１２及び先ブームパイプ１４の下面に穿設される。元ブームパイプ１２及び先ブームパイプ１４は、先端側を閉塞されており、内側には密閉された元ブーム内空間５０及び先ブーム内空間５２を備え、元ブームパイプ１２及び先ブームパイプ１４の各エア吐出口４８はそれぞれ元ブーム内空間５０及び先ブーム内空間５２へ連通している。パッキン５４は、剛性丸管４６の先端部外周に固着され、先ブーム内空間５２を剛性丸管４６の先端部より先側の部分と元側部分とに仕切りつつ、相互に非連通にさせている。
【００２５】
図１及び図２において、１対のストッパ５６は、元ブームパイプ１２の先端部に突設されている左右水平方向外向きの１対のストッパ５７と対峙して、左右水平方向内向きで先ブームパイプ１４の先端部及び基端部に突設されている。ストッパ５６，５７は、相互の当接により、エアサポート付きブーム装置１０の縮小位置及び伸長位置を規制する。内面シール付きキャップ５８は、先ブームパイプ１４の先端を閉塞するとともに、内面側にシール部を備えている。剛性丸管４６の先端開口６０は、エアサポート付きブーム装置１０の縮小時では、内面シール付きキャップ５８のシール部に圧着して、閉鎖され、エアサポート付きブーム装置１０の伸長に伴い、内面シール付きキャップ５８から離れて、圧着を解除されて、先ブーム内空間５２へ開口する。
【００２６】
モータ２８の一方方向の回転に伴い、ワイヤ２６が基端側ワイヤローラ２２及び先端側ワイヤローラ２４の周りを一方向へ周回し、先ブームパイプ１４は、ワイヤ２６により連行されて、元ブームパイプ１２から元ブームパイプ１２の先方へ繰り出されていく。噴霧用ノズル３５の被操作レバー３７は、元ブームパイプ１２の先端部を通過する際、元ブームパイプ１２側の操作部材としての突起により回転操作され、閉から開へ切替えられる。こうして、元ブームパイプ１２から先方へ繰り出されている範囲の先ブームパイプ１４の噴霧用ノズル３５の自動開閉コック３６のみが開かれる。圧送ポンプからの散布液は、直線状散布液管３０へ、及びコイルチューブ３８を介して直線状散布液管３２へ供給され、全部の噴霧用ノズル３４、及び元ブームパイプ１２から先方へ繰り出されている範囲の先ブームパイプ１４の噴霧用ノズル３５のみから下方へ噴射される。
【００２７】
一方、エアタンクからの加圧エアは、加圧エア用蛇腹管４２を介して元ブームパイプ１２の元ブーム内空間５０へ供給されるとともに、加圧エア用蛇腹管４４を介して剛性丸管４６へ供給される。剛性丸管４６へ供給された加圧エアは、剛性丸管４６の先端開口６０からパッキン５４より先側の先ブームパイプ１４の先ブーム内空間５２の部分へ供給されるが、先ブーム内空間５２より元側の先ブーム内空間５２の部分へは供給されない。したがって、元ブームパイプ１２の全部のエア吐出口４８と、元ブームパイプ１２から繰り出されている先ブームパイプ１４の範囲のエア吐出口４８とから加圧エアが噴射される。噴霧用ノズル３４，３５からの散布液の噴霧は、各噴霧用ノズル３４，３５に対してエアサポート付きブーム装置１０の幅方向両側のエア吐出口４８からの加圧エアの噴射流によりドリフトを防止される。
【００２８】
こうして、エアサポート付きブーム装置１０の任意の長さにおいて、エアサポート付きブーム装置１０の延び方向へ元ブームパイプ１２及び先ブームパイプ１４の重複範囲の噴霧用ノズル３５を除く噴霧用ノズル３４，３５及びエア吐出口４８からそれぞれ散布液及び加圧エアが噴射される。エア吐出口４８からの加圧エアは、噴霧用ノズル３４，３５からの噴霧を風に対して遮断して、噴霧のドリフトを防止する。
【００２９】
モータ２８の他方向への回転では、先ブームパイプ１４は、ワイヤ２６の他方向の周回に伴って元ブームパイプ１２内へ繰り入れられて行き、噴霧用ノズル３５は、元ブームパイプ１２内へ繰り入れられて行く際、被操作レバー３７を操作されて、自動開閉コック３６を閉位置にされ、噴霧用ノズル３５の内、元ブームパイプ１２内へ繰り入れられた先ブームパイプ１４の範囲の噴霧用ノズル３５は散布液の噴射を中止される。エアサポート付きブーム装置１０が縮小位置に達すると、先ブームパイプ１４の先端の内面シール付きキャップ５８のシール部が、剛性丸管４６の先端開口６０に圧着して、それを閉塞し、先端開口６０から先ブームパイプ１４の先ブーム内空間５２への加圧エアの供給が自動的に停止する。
【００３０】
図５はエア吐出口４８製作前の元ブームパイプ１２及び先ブームパイプ１４の垂直断面図、図６は図５の凸状壁部６４を斜め下方から見た斜視図、図７はエア吐出口４８の形状を示している。凸状壁部６４は、元ブームパイプ１２及び先ブームパイプ１４の下面においてそれらの幅方向に対称に形成され、元ブームパイプ１２及び先ブームパイプ１４の垂直断面図（図５）では凸状になっている。凸状壁部６４は、また、元ブームパイプ１２及び先ブームパイプ１４の延び方向へ長くなっている（図６）。図５のように、円形横断面の電気ドリル６６の先端部を、凸状壁部６４の先端部に凸状壁部６４の中心方向へ押し付けて、作動させ、凸状壁部６４を貫通することなく、途中で穿設を中止することにより、凸状壁部６４の先端部か部分的に削除され、図７のような長孔状のエア吐出口４８が凸状壁部６４の先端に形成される。長孔のエア吐出口４８の長手方向は元ブームパイプ１２及び先ブームパイプ１４の延び方向に一致し、この結果、エア吐出口４８からの加圧エアの噴射流は、放射状にならず、元ブームパイプ１２及び先ブームパイプ１４の延び方向へ長い帯状となることにより、噴霧用ノズル３４，３５からの噴霧のドリフト防止効果を高めることができる。
【００３１】
直線状散布液管３０の保守が必要なときには、元ブームパイプ１２及び先ブームパイプ１４へ噴霧用ノズル３４，３５を締着させているボルト（図示せず）を緩めて、元ブームパイプ１２及び先ブームパイプ１４から噴霧用ノズル３４，３５を取外し、直線状散布液管３０，３２を元ブームパイプ１２及び先ブームパイプ１４から分離する。
【図面の簡単な説明】
【図１】縮小時のエアサポート付きブーム装置の平面図である。
【図２】伸長時のエアサポート付きブーム装置の正面図である。
【図３】エアサポート付きブーム装置の縮小時におけるエアサポート付きブーム装置の基端部の横断面図である。
【図４】エアサポート付きブーム装置の縮小時におけるエアサポート付きブーム装置の先端部の横断面図である。
【図５】エア吐出口製作前の元ブームパイプ及び先ブームパイプの垂直断面図である。
【図６】図５の凸状壁部を斜め下方から見た斜視図である。
【図７】エア吐出口の形状を示している図である。
【図８】ブームスプレーヤを装着されている農業用トラクタの全体を概略的に示す平面図である。
【符号の説明】
１０  エアサポート付きブーム装置（エアサポート付きブーム装置）
１２  元ブームパイプ（元側ブーム）
１４  先ブームパイプ（先側ブーム）
３０，３２  直線状散布液管（直線状管）
３４，３５  噴霧用ノズル（噴霧用ノズル）
４６  剛性丸管（加圧エア用剛性管）
４８  エア吐出口（ドリル孔）
５４  パッキン（シール部材）
５８  内面シール付きキャップ（閉塞部材）
６０  先端開口
６４  凸状壁部
６６  電気ドリル（ドリル）
【図１】
0003821292.tif 000002
【図２】
0003821292.tif 000003
【図３】
0003821292.tif 000004
【図４】
0003821292.tif 000005
【図５】
0003821292.tif 000006
【図６】
0003821292.tif 000007
【図７】
0003821292.tif 000008
【図８】
0003821292.tif 000009